(57)【要約】【課題】  ネットワークに接続する際のＩＰアドレスの設定を適切に行えるようにしたネットワーク装置およびネットワーク情報設定方法およびネットワーク情報設定プログラムを提供する。【解決手段】  この発明を適用したプリンタ３０１において、ＤＨＣＰサーバ通信部３０２によりＤＨＣＰサーバ１０１からＩＰアドレスを含むネットワーク設定に関する情報を取得する。そして、ユーザがオペレーションパネル３０６からＩＰアドレスの設定を行うに際して、プリンタ３０１は前記ＤＨＣＰサーバ１０１から取得したＩＰアドレスをデフォルト値として表示し、表示された情報をユーザが必要に応じて変更し設定する。【選択図】  図１
2005252578.tif 000002
【特許請求の範囲】
【請求項１】
サーバと通信を行うことで、ネットワーク通信を行うための情報の設定を行うネットワーク装置において、
前記サーバから通知されたＩＰアドレスのネットワークアドレス部を少なくとも含む前記ネットワーク通信を行うための情報を保持する保持手段と、
前記保持手段で保持した情報のうちの前記ＩＰアドレスのホスト部を所定の値から変更することにより前記ＩＰアドレスを設定するＩＰアドレス設定手段と
を具備することを特徴とするネットワーク装置。
【請求項２】
前記ＩＰアドレス設定手段は、
前記保持手段で保持したネットワーク通信を行うための情報のうちのＩＰアドレスの前記ホスト部を所定の初期値として表示する表示手段と、
前記表示手段に表示されたＩＰアドレスのうちの前記初期値として表示された前記ホスト部の値を順次変更する変更手段と
を具備し、前記変更手段で順次変更した前記ホスト部の値の中の所望の値をユーザ操作により選択することにより前記ＩＰアドレスを設定する
ことを特徴とする請求項１記載のネットワーク装置。
【請求項３】
前記変更手段は、
前記ＩＰアドレスの内のホスト部の値として選択可能な値をユーザ操作に対応して順次変更して表示する
ことを特徴とする請求項２記載のネットワーク装置。
【請求項４】
サーバと通信を行うことで、ネットワーク通信を行うための情報の設定を行うネットワーク情報設定方法において、
前記サーバから通知されたＩＰアドレスのネットワークアドレス部を少なくとも含む前記ネットワーク通信を行うための情報を保持手段により保持し、
前記保持手段で保持した情報のうちの前記ＩＰアドレスのホスト部を所定の値から変更することにより前記ＩＰアドレスを設定する
ことを特徴とするネットワーク情報設定方法。
【請求項５】
サーバと通信を行うことで、ネットワーク通信を行うための情報の設定を行うネットワーク情報設定処理をコンピュータにより実行させるネットワーク情報設定プログラムであって、
前記サーバから通知されたＩＰアドレスのネットワークアドレス部を少なくとも含む前記ネットワーク通信を行うための情報を保持するステップと、
前記保持手段で保持した情報のうちの前記ＩＰアドレスのホスト部を所定の値から変更することにより前記ＩＰアドレスを設定するステップと
を含むことを特徴とするネットワーク情報設定プログラム。
【発明の詳細な説明】
【技術分野】
【０００１】
本発明は、ＩＰ（Internet Protocol）アドレス等の設定によりネットワークと通信を行うネットワーク装置およびネットワーク情報設定方法およびネットワーク情報設定プログラムに関し、特に、ネットワークに接続する際のＩＰアドレスの設定を容易かつ適切に行えるようにしたネットワーク装置およびネットワーク情報設定方法およびネットワーク情報設定プログラムに関する。
【背景技術】
【０００２】
従来、この種のネットワーク装置において、ＩＰアドレスを容易に設定する方法として、特許文献１記載の「ＴＣＰ／ＩＰホストアドレス自動設定方法とその装置」および特許文献２記載の「アドレス自動設定方法」が開示されている。
【０００３】
この特許文献１の発明は、ＴＣＰ／ＩＰ（Transmission Control Protocol/Internet Protocol）ネットワークを構成するホストに対してネットワークアドレスとサブネットマスクとを与えるだけで、ホスト部をランダムに生成した数値で割り当て、そのＩＰアドレスが使用されているかどうかＡＲＰ（Address Resolution Protocol）で問い合わせを行う。ＡＲＰ応答がなければ、そのＩＰアドレスを持つホストがいないと判断し、自ＩＰアドレスに決定するというものである。
【０００４】
また、特許文献２の発明は、予め設定されているネットワークアドレス（例えば、ＩＰアドレス、サブネットマスクなど）に基づいてＩＰアドレスを生成し、ブロードキャストすることで、そのＩＰアドレスが使用中かどうかを確認し、使用中でないと判断するとそのＩＰアドレスを新しくネットワークに追加されたネットワーク機器にブロードキャストで通知するというものである。
【特許文献１】特開平０８−２２３１６９
【特許文献２】特開２００３−０４６５１９
【発明の開示】
【発明が解決しようとする課題】
【０００５】
しかしながら、上記特許文献１の発明は、ＡＲＰで問い合わせた結果、そのＩＰアドレスを使用しているネットワーク機器が存在しないことが分かっていても、その時点ではネットワーク機器が稼動していない、あるいは、何らかの問題によりＡＲＰ応答が返せなくなっているだけで、他のネットワーク機器が日常的に使用しているＩＰアドレスかもしれない。そういった場合に、そのＩＰアドレスを使用していると、日常的にそのＩＰアドレスを使用しているネットワーク機器が稼動したときにバッティングが起きてしまうという問題がある。
【０００６】
また、上記特許文献２の発明も、上記特許文献１の発明と同様に、もともとＩＰアドレスを使用しているネットワーク機器が稼動されていない時点でブロードキャストを行った場合には誤った判断結果を招き、ネットワーク機器同士のバッティングが起きるという問題が生じる。
【０００７】
また、従来から使用されているＤＨＣＰ（Dynamic Host Configuration Protocol）によるＩＰアドレス自動設定の場合、リースされたアドレスの有効期限が終了した後に、ＩＰアドレスを更新取得する際に、取得したＩＰアドレスがサーバの都合で以前使用していたＩＰアドレスと異なるＩＰアドレスを割り当てられる可能性がある。そういった場合に、以前使用していたＩＰアドレスが他のネットワーク機器に使用されてしまい、ＩＰアドレスを指定してそのネットワーク機器へのアクセスを行っていたネットワーク機器については、ＩＰアドレスの指定先もそれに合わせて変更する必要が生じるという問題がある。
【０００８】
また、手動設定にてＩＰアドレスを設定する場合、ＩＰアドレスのネットワークアドレス部、ホスト部、サブネットマスク、ゲートウェイアドレスの全てを最初から入力しなければならない。特に、図２に示すプリンタのオペレーションパネルようにテンキーをもたない入力インターフェースでは、上下左右キーのみで設定を行う必要があり、ユーザに過度の負担がかかるといった問題がある。
【０００９】
そこで本発明では、ネットワークに接続する際のＩＰアドレスの設定を容易かつ適切に行えるようにしたネットワーク装置およびネットワーク情報設定方法およびネットワーク情報設定プログラムを提供することを目的とする。
【課題を解決するための手段】
【００１０】
上記目的を達成するため、請求項１の発明は、サーバと通信を行うことで、ネットワーク通信を行うための情報の設定を行うネットワーク装置において、前記サーバから通知されたＩＰアドレスのネットワークアドレス部を少なくとも含む前記ネットワーク通信を行うための情報を保持する保持手段と、前記保持手段で保持した情報のうちの前記ＩＰアドレスのホスト部を所定の値から変更することにより前記ＩＰアドレスを設定するＩＰアドレス設定手段とを具備することを特徴とする。
【００１１】
また、請求項２の発明は、請求項１の発明において、前記ＩＰアドレス設定手段は、前記保持手段で保持したネットワーク通信を行うための情報のうちのＩＰアドレスの前記ホスト部を所定の初期値として表示する表示手段と、前記表示手段に表示されたＩＰアドレスのうちの前記初期値として表示された前記ホスト部の値を順次変更する変更手段とを具備し、前記変更手段で順次変更した前記ホスト部の値の中の所望の値をユーザ操作により選択することにより前記ＩＰアドレスを設定することを特徴とする。
【００１２】
また、請求項３の発明は、請求項２の発明において、前記変更手段は、前記ＩＰアドレスの内のホスト部の値として選択可能な値をユーザ操作に対応して順次変更して表示することを特徴とする。
【００１３】
また、請求項４の発明は、サーバと通信を行うことで、ネットワーク通信を行うための情報の設定を行うネットワーク情報設定方法において、前記サーバから通知されたＩＰアドレスのネットワークアドレス部を少なくとも含む前記ネットワーク通信を行うための情報を保持手段により保持し、前記保持手段で保持した情報のうちの前記ＩＰアドレスのホスト部を所定の値から変更することにより前記ＩＰアドレスを設定することを特徴とする。
【００１４】
また、請求項５の発明は、サーバと通信を行うことで、ネットワーク通信を行うための情報の設定を行うネットワーク情報設定処理をコンピュータにより実行させるネットワーク情報設定プログラムであって、前記サーバから通知されたＩＰアドレスのネットワークアドレス部を少なくとも含む前記ネットワーク通信を行うための情報を保持するステップと、前記保持手段で保持した情報のうちの前記ＩＰアドレスのホスト部を所定の値から変更することにより前記ＩＰアドレスを設定するステップとを含むことを特徴とする。
【発明の効果】
【００１５】
ＩＰアドレスのネットワークアドレス部、サブネットマアスク、ゲートウェイアドレスを自動で割り当て、ユーザはホスト部の設定のみを行うことでネットワークの設定が行えるので、ＩＰアドレスを手動で設定する煩雑さの軽減およびユーザの入力ミスの防止を図れるという効果を奏する。
【００１６】
また、ホスト部の設定をユーザが手動で行うことで、ＤＨＣＰサーバから通知されたＩＰアドレスの有効期限が終了した後にＩＰアドレスが変更されてしまうという問題も起こらない。
【発明を実施するための最良の形態】
【００１７】
以下、この発明に係わるネットワーク装置およびネットワーク情報設定方法およびネットワーク情報設定プログラムの実施例について添付図面を参照して詳細に説明する。
【実施例】
【００１８】
図１は、この発明に係わるネットワーク情報設定方法を適用したネットワーク構成の概要を示したものである。
【００１９】
図１に示すネットワークは、ＤＨＣＰ（Dynamic Host Configuration Protocol）サーバ１０１、複数台のネットワーク機器２０１、この発明を適用したプリンタ３０１がそれぞれＬＡＮ（Local Area Network）４０１に接続され構成されている。
【００２０】
ＤＨＣＰサーバ１０１は、ゲートウェイサーバやＤＮＳ（Domain Name System）サーバのＩＰアドレスや、サブネットマスク、クライアントに割り当てて可能なＩＰアドレスの範囲などを保持しており、クライアントなどからの要求に応え、これらの情報を提供する。
【００２１】
プリンタ３０１は、この発明のネットワーク情報設定方法を適用したものであり、ネットワークに接続され動作するネットワークプリンタを示している。
【００２２】
ここで、プリンタ３０１は、ＤＨＣＰサーバ通信部３０２、ネットワークアドレス検出部３０３、ＵＩ制御部３０４、一時退避メモリ３０５、オペレーションパネル３０６を具備して構成される。
【００２３】
ＤＨＣＰサーバ通信部３０２は、ネットワークに接続されるＤＨＣＰサーバ１０１との通信制御処理を行う。ＤＨＣＰサーバ１０１によるＩＰアドレスの割り当てを必要とする際にＤＨＣＰＤＩＳＣＯＶＥＲメッセージを持ったＤＨＣＰパケットの送信、それに対する応答としてＤＨＣＰＯＦＦＥＲメッセージの受信処理を行い、ＤＨＣＰサーバ１０１から受信したＤＨＣＰＯＦＦＥＲメッセージに含まれるＩＰアドレス、サブネットマスク、ゲートウェイアドレスを一時退避メモリ３０５に保存する。
【００２４】
ネットワークアドレス検出部３０３は、上記ＤＨＣＰサーバ通信部３０２で受信および一時退避メモリ３０５への保存を行ったＩＰアドレス、サブネットマスクから、ＩＰアドレスのネットワークアドレス部の検出を行う。
【００２５】
ＵＩ制御部３０４は、オペレーションパネル３０６のＵＩ画面への表示処理およびオペレーションパネル３０６の操作部によりユーザから入力される情報を制御する。例えば、ＩＰアドレス、サブネットマスク、ゲートウェイアドレスを一時退避メモリ３０５から取得し、オペレーションパネル３０６のＵＩ画面へ出力するといった処理を行う。
【００２６】
一時退避メモリ３０５は、ＤＨＣＰサーバ１０１から通知されたＩＰアドレス、サブネットマスク、ゲートウェイアドレスを一時的に格納するために使用される保存領域である。
【００２７】
オペレーションパネル３０６は、プリンタ３０１本体に組み込まれた表示機（ＵＩ画面）および操作パネルを具備した構成のものであり、図２に示されるようなものである。ユーザとプリンタ３０１とのインターフェースである。
【００２８】
図３は、図１に示したプリンタ３０１のＩＰアドレスの設定方法としてＤＨＣＰサーバ１０１との通信手順を示すシーケンス図である。
【００２９】
まず、プリンタ３０１は、ＤＨＣＰサーバ１０１に対しＤＨＣＰＤＩＳＣＯＶＥＲメッセージを持ったＤＨＣＰパケットをブロードキャストし、ＤＨＣＰサーバ１０１からの応答を要求する。
【００３０】
この要求を受け取ったＤＨＣＰサーバ１０１は、ＤＨＣＰＯＦＦＥＲメッセージを応答として返す。このパケットは、リース候補のＩＰアドレス、サブネットマスク、ゲートウェイアドレス等を含む情報で構成されている。
【００３１】
プリンタ３０１はＤＨＣＰサーバ１０１から送られたリース候補のＩＰアドレス、サブネットマスク、ゲートウェイアドレス情報を保持する。
【００３２】
ここで、通常はプリンタ３０１からＤＨＣＰＲＥＱＵＥＳＴを送信し、通知されたＩＰアドレスを使用したい旨をＤＨＣＰサーバ１０１に通知するが、本発明ではここでＤＨＣＰサーバ１０１にＤＨＣＰＲＥＱＵＥＳＴを送信しない。
【００３３】
プリンタ３０１は、保持したリース候補のＩＰアドレス、サブネットマスクから、ネットワークアドレス部を検出してそれを保持する。
【００３４】
ここで、ＩＰアドレスとサブネットマスクからＩＰアドレスのネットワークアドレス部を検出する方法について図４を使って説明する。
【００３５】
図４にはＩＰアドレス「１９２．１６８．２．１」とサブネットマスク「２５５．２５５．２５５．０」が示されている。まず、それぞれ１０進数で表記されているのでこれを２進数に基数変換を行う。そして、得られたＩＰアドレス「１１００００００．１０１０１０００．００００００１０．０００００００１」とサブネットマスク「１１１１１１１１．１１１１１１１１．１１１１１１１１．００００００００」とで論理積を計算することによって、ネットワークを識別するためのネットワークアドレス部「１９２．１６８．２」を検出することができる。また、ネットワークアドレス部以外の部分が、ネットワーク内の個々のコンピュータを識別するホスト部となり、ここではホスト部「１」となる。
【００３６】
図３に戻り、次に、プリンタ３０１は、図２（ａ）に示すオペレーションパネル３０６などのユーザインターフェースにＩＰアドレスの初期表示を行う。ここで、ＩＰアドレスのネットワークアドレス部には検出した結果を、ホスト部には所定の値（例えば、０など）をデフォルトとして表示する。
【００３７】
これを元にユーザがオペレーションパネル３０６からＩＰアドレスの必要な部分のみを変更することでＩＰアドレスの設定が行える。通常はホスト部のみの変更で済む。
【００３８】
また、図２（ｂ）に示すようにＤＨＣＰサーバ１０１から受信したサブネットマスクをデフォルト表示しユーザに登録を促す。
【００３９】
また、図２（ｃ）に示すようにＤＨＣＰサーバ１０１から受信したゲートウェイアドレスをデフォルト表示しユーザに登録を促す。通常は変更なしにサブネットマスクおよびゲートウェイアドレスをこのまま使用できる。
【００４０】
以上が本発明におけるネットワークアドレスの設定手順であり、ＤＨＣＰサーバ１０１から通知されたＩＰアドレスをそのまま使用するのではなく、そのＩＰアドレスを元にユーザが介在してネットワーク設定を行うことで、適切なネットワーク設定が行える。
【００４１】
通常ＤＨＣＰサーバから通知されたＩＰアドレスはそのまま使用するのが一般的であり、もしＤＨＣＰサーバに通知されたＩＰアドレスに対してユーザが変更を行うような場合には、オペレーションパネル３０６にデフォルト表示されたＩＰアドレスはＡＬＬ０にクリアされてしまう。その状態からＩＰアドレスの設定を行う場合ユーザに過度の負担がかかり入力ミスが起きてしまうという問題があった。本発明はそういった問題を解決できる。
【００４２】
また、図２に示すオペレーションパネル３０６ようにテンキーをもたない入力インターフェースでも、デフォルトとして（ＩＰアドレスに関してはネットワークアドレス部が設定された状態で）表示されるので、ユーザ負荷の軽減を図れる。
【００４３】
なお、図３に示すシーケンス図では、ＩＰアドレスの設定、サブネットマスクの設定、ゲートウェイアドレスの設定といった手順で、ネットワーク情報の設定を行うように示したが、これはあくまで一例であり順番は問わない。
【００４４】
図５は、図１に示したプリンタ３０１におけるネットワーク情報設定処理を説明するフローチャートである。
【００４５】
ユーザによりオペレーションパネル３０６から手動によるＩＰアドレスの設定を選択されるとこのネットワーク情報設定処理は開始される（ステップＳ００１）。
【００４６】
このネットワーク情報設定処理では、まず、ネットワーク上のＤＨＣＰサーバ１０１に対してＤＨＣＰＤＩＳＣＯＶＥＲメッセージを持ったＤＨＣＰパケットをブロードキャストし（ステップＳ００２）、ＤＨＣＰサーバ１０１からの応答を要求する（ステップＳ００３）。
【００４７】
ＤＨＣＰサーバ１０１から一定時間応答がなかった場合は（ステップＳ００３でＮＯ）、従来のＡＬＬ０をデフォルトとしたＩＰアドレス、サブネットマスク、ゲートウェイアドレスの手動設定を行う（ステップ００４）。そして、このネットワーク情報設定処理を終了する。
【００４８】
ＤＨＣＰサーバ１０１から応答があった場合は（ステップＳ００３でＹＥＳ）、ＤＨＣＰＯＦＦＥＲメッセージを応答として受信し（ステップＳ００５）、受信した応答メッセージに含まれるＩＰアドレス、サブネットマスク、ゲートウェイアドレスを一時領域に退避する（ステップＳ００６）。
【００４９】
一時領域に退避したＩＰアドレス、サブネットマスクからＩＰアドレスのネットワークアドレス部を検出する（ステップＳ００７）。
【００５０】
次に、ＩＰアドレス設定処理を行う（ステップＳ００８）。このＩＰアドレス設定処理の詳細は図６に示される。
【００５１】
図６において、このＩＰアドレス設定処理が開始されると、まず、ＩＰアドレスの初期表示を行う（ステップＳ１０１）。ＩＰアドレスのネットワークアドレス部には前処理で検出して得られたアドレスを、ＩＰアドレスのホスト部には所定の値（例えば、０など）を表示する。
【００５２】
次に、その初期表示されたＩＰアドレスをもとに、ユーザによりホスト部の入力が行われる（ステップＳ１０２）。図２に示すオペレーションパネルのようにテンキーをもたない入力インターフェースの場合に、ユーザは「上（１−Ｂ）」ボタン（ホスト部に１加算される）や「下（１−Ｄ）」ボタン（ホスト部から１減算する）を必要に応じた回数押下することで、適切なＩＰアドレスを設定する必要がある。つまり、このステップＳ１０２では、初期表示されたＩＰアドレスのホスト部の値に適切な値を入力するためにユーザにより「上（１−Ｂ）」ボタン若しくは「下（１−Ｄ）」ボタンが押下された状態を示している。
【００５３】
次に、ユーザが入力したＩＰアドレスに対してＡＲＰ要求を発行する（ステップＳ１０３）。つまり、入力されたＩＰアドレスを「ＡＲＰ問い合わせ」パケットに入れて、ネットワークに向けてブロードキャストする。
【００５４】
そして、一定時間内にＡＲＰ要求に対する応答があるかどうかの判定を行う（ステップＳ１０４）。ＡＲＰ応答がある場合は、ネットワークに接続されたいずれかのネットワーク機器によりそのＩＰアドレスは既に使用されていることを示しており、ＡＲＰ応答がない場合は、ネットワークに対してユニークなＩＰアドレスであり、そのＩＰアドレスを使用してもよいことを示している。
【００５５】
ここで、ＡＲＰ応答があった場合は（ステップＳ１０４でＹＥＳ）、別のＩＰアドレスを設定し（ステップＳ１０５）、そのＩＰアドレスに対してＡＲＰ要求を発行する（ステップＳ１０３）。
【００５６】
別のＩＰアドレスとは、ユーザにより「上（１−Ｂ）」ボタン（ホスト部に１加算される）や「下（１−Ｄ）」ボタン（ホスト部から１減算する）が押下されることにより選択されたＩＰアドレス（ステップＳ１０２で選択されたＩＰアドレス）に対して更に加算または減算することで得られるＩＰアドレスのことを示している。
【００５７】
ここで、ＡＲＰ応答がない場合は（ステップＳ１０４でＮＯ）、オペレーションパネル３０６にＩＰアドレスを表示する（ステップＳ１０６）。ステップＳ１０２からステップＳ１０５の間は、オペレーションパネルの表示状態は変わらず初期表示されたＩＰアドレスが表示されており、このステップＳ１０６の処理で初めてユーザが「上（１−Ｂ）」ボタン若しくは「下（１−Ｄ）」ボタンを押下したことによりオペレーションパネル３０６に表示されたＩＰアドレスの値が変わる。つまり、初期表示されたＩＰアドレスが「１９２．１６８．２．０００」で「１９２．１６８．２．１」が既に使われているＩＰアドレスの場合に、ユーザが「上（１−Ｂ）」ボタン（ホスト部に１加算される）を押下すると、次に表示されるＩＰアドレスは「１９２．１６８．２．２」となる。
【００５８】
また、ＤＨＣＰサーバから通知されたＩＰアドレスと同一のＩＰアドレスがユーザにより「上（１−Ｂ）」ボタン若しくは「下（１−Ｄ）」ボタンが押下されることで入力された場合にも、そのＩＰアドレスは選択できないようにオペレーションパネル３０６には表示を行わず、次のＩＰアドレスを表示する。
【００５９】
すなわち、ＤＨＣＰサーバより取得したＩＰアドレスはＤＨＣＰプール領域（ＤＨＣＰが管理しているＩＰアドレス）として使用されるべきものであるので、本発明では使用できないように制御する。
【００６０】
また、ＤＨＣＰプール領域（ＤＨＣＰが管理しているＩＰアドレス）で管理されている範囲のＩＰアドレスを、予めプリンタ３０１に選択不可ＩＰアドレスとして登録しておくことで、ユーザが選択できないように制御してもよい。
【００６１】
そして、オペレーションパネル３０６に表示されたＩＰアドレスで問題がない場合は、ユーザにより設定完了が選択され（ステップＳ１０７）、このＩＰアドレス設定処理は終了する。
【００６２】
図５に戻り、ＩＰアドレス設定処理が終わると（ステップＳ００８）、一時領域に退避したサブネットマスクを表示し、ユーザによる設定処理が行われる。同様にゲートウェイアドレスの設定処理が行われ終了すると（ステップＳ００９）、このネットワーク情報設定処理は終了する。
【００６３】
以上が本発明によるネットワーク設定の処理内容であり、ＤＨＣＰサーバから通知されたＩＰアドレスをそのまま使用するのではなく、ユーザが介在することで最適なＩＰアドレスを割り当てることができるので、ＤＨＣＰサーバから通知されたＩＰアドレスを使用していたために、リース期間（有効期限）が過ぎてしまったことで以前使用していたＩＰアドレスが使えなくなり、余儀なくＩＰアドレスが変更されてしまうといったことも防止することができる。
【００６４】
また、ＩＰアドレス、サブネットマスク、ゲートウェィアドレスの設定を行う際に、ユーザが容易に設定を行えるようにデフォルト値を表示するよう構成したので、入力ミスも防止することができる。
【００６５】
なお、上記実施例においては、この発明に係わるネットワーク情報設定処理を上記プリンタ３０１により行うよう構成したが、このネットワーク情報設定処理はプリンタ３０１に限られるものではなく、ファクシミリ、コピー機およびパーソナルコンピュータなど、ネットワークに接続され動作するデバイスなら何にでも適用できる。
【産業上の利用可能性】
【００６６】
本発明のネットワーク設定装置およびネットワーク情報設定方法およびネットワーク情報設定プログラムは、ＤＨＣＰサーバによりＩＰアドレスの自動設定を行っているネットワークでの問題を解決する場合に有効であり、特に、前記理由によりＩＰアドレス等を全てユーザが手動で行っているといったネットワークで有効利用することができる。
【図面の簡単な説明】
【００６７】
【図１】この発明に係わるネットワーク情報設定方法を適用したネットワーク構成の概要を示したものである。
【図２】オペレーションパネルのレイアウトの一例を示した図である。
【図３】図１に示したプリンタ３０１とＤＨＣＰサーバ１０１の通信手順を示すシーケンス図である。
【図４】ＩＰアドレスとサブネットマスクの概要を示す図である。
【図５】図１に示したプリンタ３０１におけるネットワーク情報設定処理を説明するフローチャートである。
【図６】図５に示したＩＰアドレス設定処理における動作を説明するフローチャートである。
【符号の説明】
【００６８】
１０１    ＤＨＣＰサーバ
２０１    ネットワーク機器
３０１    プリンタ
３０２    ＤＨＣＰサーバ通信部
３０３    ネットワークアドレス検出部
３０４    ＵＩ制御部
３０５    一時退避メモリ
３０６    オペレーションパネル
４０１    ＬＡＮ
【図１】
2005252578.tif 000003
【図２】
2005252578.tif 000004
【図３】
2005252578.tif 000005
【図４】
2005252578.tif 000006
【図５】
2005252578.tif 000007
【図６】
2005252578.tif 000008